【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
ワイヤレス電力送信機の充電領域におけるワイヤレス電力受信機の配置を検出するための前記ワイヤレス電力送信機であって、
送信コイルを備え、前記充電領域に印加されたワイヤレスフィールドを介して前記受信機の受信コイルに電力をワイヤレス送信するように構成された送信回路と、
前記受信機が前記充電領域中に配置されたことに応答して、印加されるかまたは前記送信コイルと前記受信コイルとの間で変えられる前記フィールドから生じる、波形の特性を検出するように構成された検出回路とを備え、ここにおいて、前記波形の前記特性が、前記フィールドの初期印加中の前記受信機のキャパシタの充電に関連付けられた時間間隔内のインピーダンス変化パターンを示す、
ワイヤレス電力送信機。
【請求項２】
前記波形の前記特性は、前記フィールドの初期印加中の前記受信機のキャパシタの前記充電に関連付けられ、前記受信機が前記充電領域中に配置されたことに応答して、前記送信機の前記送信回路にもたらされるインピーダンスの変化に少なくとも部分的に基づく、請求項１に記載のワイヤレス電力送信機。
【請求項３】
前記波形の前記特性が、送信機電流における過渡スパイクを備える、請求項１に記載のワイヤレス電力送信機。
【請求項４】
前記送信機電流が、前記送信機の電力増幅器（ＰＡ）へのＤＣ電流を備える、請求項３に記載のワイヤレス電力送信機。
【請求項５】
前記波形の前記特性が、送信機電圧における過渡スパイクまたは発振（oscillation）を備える、請求項１に記載のワイヤレス電力送信機。
【請求項６】
前記検出回路は、前記受信機が前記充電領域中にあることに応答して、前記送信機を省電力モードから高電力モードに切り替えるようにさらに構成された、請求項１に記載のワイヤレス電力送信機。
【請求項７】
前記検出回路は、有効受信機（valid receiver）が前記充電領域中に配置されたことに応答して前記送信機にもたらされるインピーダンスの変化を検出するようにさらに構成され、前記有効受信機が、接続状態の整流器と前記キャパシタとをもつ受信機回路を備え、前記キャパシタが、前記フィールドの初期印加中に充電するように構成された、請求項１に記載のワイヤレス電力送信機。
【請求項８】
ワイヤレス電力送信機の充電領域におけるワイヤレス電力受信機の配置を検出するための方法であって、
送信回路の送信コイルを介して、前記受信機の受信コイルに、前記充電領域に印加されたワイヤレスフィールドを介して、電力を送信することと、
前記受信機が前記充電領域中に配置されたことに応答して、印加されるかまたは前記送信コイルと前記受信コイルとの間で変えられる前記フィールドから生じる、波形の特性を検出することとを備え、ここにおいて、前記波形の前記特性が、前記フィールドの初期印加中の前記受信機のキャパシタの充電に関連付けられた時間間隔内のインピーダンス変化パターンを示す、
方法。
【請求項９】
前記波形の前記特性が、送信機電圧と送信機電流とに基づいて計算されたインピーダンスにおける過渡スパイクを備える、請求項８に記載の方法。
【請求項１０】
前記送信機電圧がＡＣ電圧を備え、前記送信機電流がＡＣ電流を備え、前記波形の前記特性を検出することが、ＡＣ経路中の実質的に同じポイントにおいて前記ＡＣ電圧と前記ＡＣ電流とを測定することを備える、請求項９に記載の方法。
【請求項１１】
前記波形の前記特性を検出することが、ＡＣ経路中の第１のポイントにおいて前記ＡＣ電流を測定することを備え、前記ＡＣ電流は、前記ＡＣ電圧が測定される前記ＡＣ経路中の第２のポイントにおいて測定される対応するＡＣ電流に対して、振幅または位相のうちの少なくとも１つにおいて既知の関係を有する、請求項９に記載の方法。
【請求項１２】
前記波形の前記特性が、送信機電圧と送信機電流とに基づいて計算されたインピーダンスにおける過渡スパイクを備える、請求項８に記載の方法。
【請求項１３】
コンピュータ上で実行されるとき、請求項８〜請求項１２のうちのいずれかに記載の方法を実施するための命令を備える、コンピュータプログラム。
【請求項１４】
請求項１３に記載の前記コンピュータプログラムを備える、コンピュータ可読記憶媒体。
【手続補正２】
【補正対象書類名】明細書
【補正対象項目名】００７９
【補正方法】変更
【補正の内容】
【００７９】
[0098]  上記で説明した実施形態の様々な変更は容易に明らかになるものであり、本明細書で定義した一般原理は、本発明の趣旨または範囲から逸脱することなく他の実施形態に適用され得る。したがって、本発明は、本明細書で示した実施形態に限定されるものではなく、本明細書で開示する原理および新規の特徴に合致する最も広い範囲を与えられるべきである。
以下に本願の出願当初の特許請求の範囲に記載された発明を付記する。
[Ｃ１]  ワイヤレス電力送信機の充電領域におけるワイヤレス電力受信機の配置を検出するためのデバイスであって、
送信コイルを備え、前記充電領域に印加されたワイヤレスフィールドを介して前記受信機の受信コイルに電力をワイヤレス送信するように構成された送信回路と、
前記受信機が前記充電領域中に配置されたことに応答して、印加されるかまたは前記送信コイルと前記受信コイルとの間で変えられる前記フィールドから生じる、波形の特性を検出するように構成された検出回路とを備える、デバイス。
[Ｃ２]  前記波形の前記特性は、前記フィールドの初期印加中の前記受信機のキャパシタの充電に関連付けられ、前記受信機が前記充電領域中に配置されたことに応答して、前記送信機の前記送信回路にもたらされるインピーダンスの変化に少なくとも部分的に基づく、Ｃ１に記載のデバイス。
[Ｃ３]  前記波形の前記特性が、前記フィールドの初期印加中の前記受信機のキャパシタの充電に関連付けられたインピーダンス変化パターンを示す、Ｃ１に記載のデバイス。
[Ｃ４]  前記波形の前記特性が、送信機電流における過渡スパイクを備える、Ｃ１に記載のデバイス。
[Ｃ５]  前記送信機電流が、前記送信機の電力増幅器（ＰＡ）へのＤＣ電流を備える、Ｃ４に記載のデバイス。
[Ｃ６]  前記波形の前記特性が、送信機電圧における過渡スパイクまたは発振（oscillation）を備える、Ｃ１に記載のデバイス。
[Ｃ７]  前記送信機電圧が、前記送信機の電力増幅器（ＰＡ）に供給されるＤＣ電圧を備える、Ｃ６に記載のデバイス。
[Ｃ８]  前記波形の前記特性が、送信機電圧と送信機電流とに基づいて計算された抵抗における過渡スパイクを備える、Ｃ１に記載のデバイス。
[Ｃ９]  前記送信機電圧がＡＣ電圧を備え、前記送信機電流がＡＣ電流を備える、Ｃ８に記載のデバイス。
[Ｃ１０]  前記ＡＣ電圧と前記ＡＣ電流とが、ＡＣ経路中の実質的に同じポイントにおいて測定される、Ｃ９に記載のデバイス。
[Ｃ１１]  前記ＡＣ電流が、ＡＣ経路中の第１のポイントにおいて測定され、前記ＡＣ電流は、前記ＡＣ電圧が測定される前記ＡＣ経路中の第２のポイントにおいて測定される対応するＡＣ電流に対して、振幅または位相のうちの少なくとも１つにおいて、既知の関係を有する、Ｃ９に記載のデバイス。
[Ｃ１２]  前記送信機電圧がＤＣ電圧を備え、前記送信機電流がＤＣ電流を備える、Ｃ８に記載のデバイス。
[Ｃ１３]  前記ＤＣ電圧と前記ＤＣ電流とが、ＤＣ経路中の実質的に同じポイントにおいて測定される、Ｃ１２に記載のデバイス。
[Ｃ１４]  前記ＤＣ電流が、ＤＣ経路中の第１のポイントにおいて測定され、前記ＤＣ電流は、前記ＤＣ電圧が測定される第２のポイントにおいて測定される対応するＤＣ電流に対して値において既知の関係を有する、Ｃ１２に記載のデバイス。
[Ｃ１５]  前記検出回路は、前記受信機が前記充電領域中にあることに応答して、前記送信機を省電力モードから高電力モードに切り替えるようにさらに構成された、Ｃ１に記載のデバイス。
[Ｃ１６]  前記検出回路は、有効受信機（valid receiver）が前記充電領域中に配置されたことに応答して前記送信機にもたらされるインピーダンスの変化を検出するようにさらに構成され、前記有効受信機が、接続状態の整流器とキャパシタとをもつ受信機回路を備え、前記キャパシタが、前記フィールドの初期印加中に充電するように構成された、Ｃ１に記載のデバイス。
[Ｃ１７]  ワイヤレス電力送信機の充電領域におけるワイヤレス電力受信機の配置を検出するための方法であって、
送信回路の送信コイルを介して、前記受信機の受信コイルに、前記充電領域に印加されたワイヤレスフィールドを介して、電力を送信することと、
前記受信機が前記充電領域中に配置されたことに応答して、印加されるかまたは前記送信コイルと前記受信コイルとの間で変えられる前記フィールドから生じる、波形の特性を検出することとを備える、方法。
[Ｃ１８]  前記波形の前記特性を検出することが、前記フィールドの初期印加中の前記受信機のキャパシタの充電に関連付けられたインピーダンス変化パターンを認識することを備える、Ｃ１７に記載の方法。
[Ｃ１９]  前記波形の前記特性が、送信機電圧と送信機電流とに基づいて計算された抵抗における過渡スパイクを備える、Ｃ１７に記載の方法。
[Ｃ２０]  前記送信機電圧がＡＣ電圧を備え、前記送信機電流がＡＣ電流を備え、前記波形の前記特性を検出することが、ＡＣ経路中の実質的に同じポイントにおいて前記ＡＣ電圧と前記ＡＣ電流とを測定することを備える、Ｃ１９に記載の方法。
[Ｃ２１]  前記波形の前記特性を検出することが、ＡＣ経路中の第１のポイントにおいて前記ＡＣ電流を測定することを備え、前記ＡＣ電流は、前記ＡＣ電圧が測定される前記ＡＣ経路中の第２のポイントにおいて測定される対応するＡＣ電流に対して、振幅または位相のうちの少なくとも１つにおいて既知の関係を有する、Ｃ１９に記載の方法。
[Ｃ２２]  前記波形の前記特性が、送信機電圧と送信機電流とに基づいて計算された抵抗における過渡スパイクを備える、Ｃ１７に記載の方法。
[Ｃ２３]  前記送信機電圧がＤＣ電圧を備え、前記送信機電流がＤＣ電流を備え、前記波形の前記特性を検出することが、ＤＣ経路中の第１のポイントにおいて前記ＤＣ電流を測定することを備え、前記ＤＣ電流は、前記ＤＣ電圧が測定される第２のポイントにおいて測定される対応するＤＣ電流に対して値において既知の関係を有する、Ｃ２２に記載の方法。
[Ｃ２４]  前記受信機が前記充電領域中にあることに応答して、前記送信機を省電力モードから高電力モードに切り替えることをさらに備える、Ｃ１７に記載の方法。
[Ｃ２５]  充電領域においてワイヤレス電力受信機の配置を検出するための装置であって、
前記受信機の受信コイルに、前記充電領域に印加されたワイヤレスフィールドを介して、電力を送信するための手段と、
前記受信機が前記充電領域中に配置されたことに応答して、印加されるかまたは送信するための前記手段と前記受信コイルとの間で変えられる前記フィールドから生じる、波形の特性を検出するための手段とを備える、装置。
[Ｃ２６]  前記波形の前記特性を検出するための前記手段が、前記フィールドの初期印加中の前記受信機のキャパシタの充電に関連付けられたインピーダンス変化パターンを認識するための手段を備える、Ｃ２５に記載の装置。
[Ｃ２７]  前記波形の前記特性が、送信機電圧と送信機電流とに基づいて計算された抵抗における過渡スパイクを備え、
前記送信機電圧がＡＣ電圧を備え、前記送信機電流がＡＣ電流を備える、Ｃ２５に記載の装置。
[Ｃ２８]  前記波形の前記特性を検出するための前記手段が、ＡＣ経路中の実質的に同じポイントにおいて前記ＡＣ電圧と前記ＡＣ電流とを測定するための手段を備える、Ｃ２７に記載の装置。
[Ｃ２９]  前記波形の前記特性を検出するための前記手段が、ＡＣ経路中の第１のポイントにおいて前記ＡＣ電流を測定するための手段を備え、前記ＡＣ電流は、前記ＡＣ電圧が測定される前記ＡＣ経路中の第２のポイントにおいて測定される対応するＡＣ電流に対して、振幅または位相のうちの少なくとも１つにおいて、既知の関係を有する、Ｃ２７に記載の装置。
[Ｃ３０]  実行されたとき、装置に、
送信回路の送信コイルを介して、受信機の受信コイルに、充電領域に印加されたワイヤレスフィールドを介して、電力を送信することと、
前記受信機が前記充電領域中に配置されたことに応答して、印加されるかまたは前記送信コイルと前記受信コイルとの間で変えられる前記フィールドから生じる、波形の特性を検出することとを行わせるコードを備える非一時的コンピュータ可読媒体。